【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
外部デバイスとエネルギーを交換するように構成された貯蔵デバイスであって、該貯蔵デバイスは、
壁を有する容器であって、該容器の少なくとも一部は、導電性である、容器と、
負電極と、
正電極と、
それぞれの電極／電解質界面において該負電極および該正電極と接触する電解質であって、該負電極、該正電極、および該電解質は、該貯蔵デバイスの動作温度において該容器内に液体材料層として存在する、電解質と、
該容器の壁から離れるように該負電極および該正電極のうちの１つを保持するように構成された構造と
を含む、貯蔵デバイス。
【請求項２】
前記容器を覆う蓋をさらに含み、前記構造は、該蓋から吊るされている、請求項１に記載の貯蔵デバイス。
【請求項３】
前記構造は、導電性複合構造である、請求項１に記載の貯蔵デバイス。
【請求項４】
前記構造は、スポンジを含む、請求項１に記載の貯蔵デバイス。
【請求項５】
前記負電極は、アルカリ土類金属を含む、請求項１に記載の貯蔵デバイス。
【請求項６】
前記アルカリ土類金属は、マグネシウムおよびカルシウムのうちの少なくとも１つを含む、請求項５に記載の貯蔵デバイス。
【請求項７】
前記正電極は、スズ、鉛、ビスマス、アンチモン、テルルおよびセレンのうちの少なくとも１つを含む、請求項５に記載の貯蔵デバイス。
【請求項８】
前記正電極は、アルカリ土類金属と、該アルカリ土類金属以外の元素とを含む、請求項５に記載の貯蔵デバイス。
【請求項９】
前記電解質は、前記アルカリ土類金属のハロゲン化物を含む、請求項５に記載の貯蔵デバイス。
【請求項１０】
前記電解質は、前記アルカリ土類金属の塩と、アルカリ金属のハロゲン化物塩とを含む、請求項５に記載の貯蔵デバイス。
【請求項１１】
外部デバイスとエネルギーを交換するように構成された貯蔵デバイスであって、該貯蔵デバイスは、
壁を有する容器と、
負電極と、
正電極と、
それぞれの電極／電解質界面において該負電極および該正電極と接触する電解質であって、該負電極、該正電極、および該電解質は、該貯蔵デバイスの動作温度において該容器内に液体材料層として存在する、電解質と、
該正電極と電気接触している正電流コレクタと、
該負電極と電気接触している負電流コレクタと
を含み、
該正電流コレクタおよび該負電流コレクタのうちの一方は、該容器の壁から離れるように該正電極および該負電極のうちの１つを保持するように構成され、他方の電流コレクタは、該容器の一部から形成されている、貯蔵デバイス。
【請求項１２】
前記容器を覆う蓋をさらに含み、該容器の壁から離れるように前記正電極および前記負電極のうちの１つを保持するように構成された前記電流コレクタは、該蓋から吊るされている、請求項１１に記載の貯蔵デバイス。
【請求項１３】
前記容器の壁から離れるように前記正電極および前記負電極のうちの１つを保持するように構成された前記電流コレクタは、導電性複合構造である、請求項１１に記載の貯蔵デバイス。
【請求項１４】
前記容器の壁から離れるように前記正電極および前記負電極のうちの１つを保持するように構成された前記電流コレクタは、スポンジを含む、請求項１１に記載の貯蔵デバイス。
【請求項１５】
前記負電極は、アルカリ土類金属を含む、請求項１１に記載の貯蔵デバイス。
【請求項１６】
前記アルカリ土類金属は、マグネシウムおよびカルシウムのうちの少なくとも１つを含む、請求項１５に記載の貯蔵デバイス。
【請求項１７】
前記正電極は、スズ、鉛、ビスマス、アンチモン、テルルおよびセレンのうちの少なくとも１つを含む、請求項１５に記載の貯蔵デバイス。
【請求項１８】
前記正電極は、アルカリ土類金属と、該アルカリ土類金属以外の元素とを含む、請求項１５に記載の貯蔵デバイス。
【請求項１９】
前記電解質は、前記アルカリ土類金属のハロゲン化物を含む、請求項１５に記載の貯蔵デバイス。
【請求項２０】
前記電解質は、前記アルカリ土類金属の塩と、アルカリ金属のハロゲン化物塩とを含む、請求項１５に記載の貯蔵デバイス。
【手続補正２】
【補正対象書類名】明細書
【補正対象項目名】００１２
【補正方法】変更
【補正の内容】
【００１２】
さらに別の実施形態では、電気化学バッテリは、外部デバイスとエネルギーを交換するように構成される。バッテリは、アルカリ土類金属と、付加的な元素とを組み込む、導電性溶融正電極と、アルカリ土類金属を組み込む、導電性液体負電極と、それとともにそれぞれの電解質・電極界面を形成するように、正電極と負電極との間に配置される、アルカリ土類金属の陽イオンを組み込む、液体電解質とを含む。正電極、負電極、および液体電解質は、垂直スタックの中にそれぞれの液体材料のそれぞれの液体層として存在し、アルカリ土類金属は、前記正電極および負電極の中にそれぞれの異なる化学ポテンシャルにおいて存在し、それにより、その間で電圧を発する。
本願明細書は、例えば、以下の項目も提供する。
（項目１）
外部デバイスとエネルギーを交換するように構成されるバッテリであって、該バッテリは、
アルカリ土類金属と少なくとも１つの付加的な元素とを備える、第１の密度を有する第１の導電性溶融正電極と、
該アルカリ土類金属を備える、第２の密度を有する第１の導電性液体負電極と、
該第１の負電極および第１の正電極と接触している、該アルカリ土類金属の陽イオンを備える、第３の密度を有する第１の液体電解質と、
該外部デバイスに接続するように構成される、該第１の正電極と電気接触している第１の正電流コレクタと、
該外部デバイスに接続するように構成される、該第１の負電極と電気接触している第１の負電流コレクタと
を備え、該アルカリ土類金属は、該第１の正電極および第１の負電極の中においてそれぞれの異なる化学ポテンシャルにおいて存在し、該第１の正電極と第１の負電極との間に電圧を生じさせる、バッテリ。
（項目２）
アルカリ土類金属を備える第２の導電性溶融正電極と、
該アルカリ土類金属を備える第２の導電性液体負電極と、
該第２の負電極および第２の正電極と接触している、該アルカリ土類金属の陽イオンを備える第２の液体電解質と、
該第２の正電極と電気接触している第２の正電流コレクタと、
該第２の負電極と電気接触している第２の負電流コレクタと
をさらに備え、該アルカリ土類金属は、該第２の正電極および第２の負電極の中においてそれぞれの異なる化学ポテンシャルにおいて存在し、該第２の正電極と第２の負電極との間に電圧を生じさせ、該第２の負電流コレクタおよび第２の正電流コレクタは、該第１の負電流コレクタおよび第１の正電流コレクタと直列または並列に接続される、項目１に記載のバッテリ。
（項目３）
複数の電気接続している電池をさらに備え、各電池は、
前記アルカリ土類金属を備える導電性溶融正電極と、
アルカリ土類金属を備える導電性液体負電極と、
該負電極および正電極と接触している、該アルカリ土類金属の陽イオンを備える液体電解質と、
該負電極と電気接触している負電流コレクタと、
該正電極と電気接触している正電流コレクタと
を有し、該複数の電気接続している電池の該それぞれの負電流コレクタおよび正電流コレクタは、該第１の負電流コレクタおよび第１の正電流コレクタと電気的に接続される、項目１に記載のバッテリ。
（項目４）
前記アルカリ土類金属は、マグネシウムである、項目１に記載のバッテリ。
（項目５）
前記アルカリ土類金属は、カルシウムである、項目１に記載のバッテリ。
（項目６）
前記第１の負電極は、付加的な金属をさらに備える、項目１に記載のバッテリ。
（項目７）
前記付加的な金属は、ベリリウム、マグネシウム、カルシウム、ストロンチウム、およびバリウムのうちの１つである、項目６に記載のバッテリ。
（項目８）
前記アルカリ土類金属は、カルシウムであり、前記付加的な金属は、ベリリウム、マグネシウム、ストロンチウム、およびバリウムのうちの１つである、項目６に記載のバッテリ。
（項目９）
前記付加的な金属は、マグネシウムである、項目８に記載のバッテリ。
（項目１０）
前記少なくとも１つの付加的な元素は、スズ、鉛、ビスマス、アンチモン、テルル、およびセレンのうちの少なくとも１つを備える、項目１に記載のバッテリ。
（項目１１）
前記第１の正電極は、前記アルカリ土類金属および前記少なくとも１つの付加的な元素の液相溶液である、項目１に記載のバッテリ。
（項目１２）
前記第１の液体電解質は、前記アルカリ土類金属の塩化物を備える、項目１に記載のバッテリ。
（項目１３）
前記第１の液体電解質は、０．０１Ｓ／ｃｍもの電気伝導度を有する、項目１に記載のバッテリ。
（項目１４）
前記液体電解質は、ハロゲン化物イオンをさらに備える、項目１３に記載のバッテリ。
（項目１５）
前記第１の液体電解質は、ハロゲン化物、ビストリフリミド、フルオロスルホンアミン、過塩素酸塩、ヘキサフルオロリン酸塩、テトラフルオロホウ酸、炭酸塩、および水酸化物の群から選択される陰イオンをさらに備える、項目１３に記載のバッテリ。
（項目１６）
前記第１の液体電解質は、アルカリ金属、アルカリ土類金属、イミド、アミン、アンモニウム、ホスホニウム、およびピロリジニウムの群から選択される陽イオンをさらに備える、項目１３に記載のバッテリ。
（項目１７）
前記第１の負電極、第１の電解質、および第１の正電極は、７５０℃未満の動作温度である、項目１に記載のバッテリ。
（項目１８）
前記第１の正電極は、第１の密度を有し、
前記第１の負電極は、該第１の密度よりも小さい第２の密度を有し、
前記液体電解質は、該第１の密度よりも大きく、該第２の密度よりも小さい第３の密度を有する、項目１に記載のバッテリ。
（項目１９）
前記第１の液体電解質は、前記第１の正電極と前記第１の負電極との間に配置されて、それらとそれぞれの電解質・電極界面を形成し、
該第１の正電極、第１の負電極、および第１の液体電解質は、垂直スタックの中においそれぞれの液体材料層として存在する、項目１に記載のバッテリ。
（項目２０）
前記第１の正電極と第１の負電極との間に配置される前記第１の液体電解質によって湿潤可能であるが、前記第１の負電極または前記第１の正電極によって湿潤可能ではない材料のセパレータをさらに備える、項目１９に記載のバッテリ。
（項目２１）
前記第１の負電極は、前記第１の電解質の上に配置され、前記第１の負電流コレクタは、表面張力によって前記容器から離して該第１の負電極を保持する部分を備える、項目１に記載のバッテリ。
（項目２２）
前記第１の負電極は、前記第１の電解質の上に配置され、前記第１の負電流コレクタは、
前記容器から離して該負電極を保持し、該負電極の前記液体材料によって湿潤されない第１の物質である、第１の部材を有する複合導電性構造と、
該負電極の該液体材料によって湿潤される第２の物質である、該第１の部材内の第２の導電性部材と
を含む、項目１９に記載のバッテリ。
（項目２３）
前記第１の部材は、逆カップ状構造であり、前記第２の部材は、中心シャフト、リング、およびプレートから成る群より選択される、項目２２に記載のバッテリ。
（項目２４）
前記第１の物質は、炭素または軟鋼合金であり、前記第２の物質は、鋼鉄またはステンレス鋼である、項目２２に記載のバッテリ。
（項目２５）
導電性容器をさらに備え、該導電性容器は、前記第１の正電極、前記第１の負電極、および前記第１の液体電解質を閉じ込め、前記第１の正電流コレクタとして機能する、項目１９に記載のバッテリ。
（項目２６）
前記バッテリは、外部デバイスと電気エネルギーを交換するように動作可能である、項目１に記載のバッテリ。
（項目２７）
前記バッテリの中に循環生成器をさらに備え、該循環生成器は、前記層のうちの１つの中に循環を生成し、それにより、前記電極／電解質界面のうちの１つを往復して該１つの層の液体材料の流動を誘発する、項目１９に記載のバッテリ。
（項目２８）
前記１つの層の中の前記液体材料の流動は、前記層のうちの別の層の中に循環を誘発する、項目２７に記載のバッテリ。
（項目２９）
前記液体材料の流動は、０．１ｍｍ／ｓよりも大きい流速を有する、項目２７に記載のバッテリ。
（項目３０）
前記循環生成器は、前記１つの層の中に温度勾配を生じさせるように構成され、それにより、該１つの層の前記液体材料の重力駆動対流を誘発する、項目２７に記載のバッテリ。
（項目３１）
前記正電極、前記負電極、および前記液体電解質を閉じ込める熱伝導性容器をさらに備え、前記循環生成器は、前記容器を封入する熱絶縁筐体をさらに備え、熱管理デバイスは、該容器と外側空間との間の該筐体の壁を通して、前記１つの液体層の高さで熱伝達経路を提供し、それにより、前記温度勾配を生じさせる、項目３０に記載のバッテリ。
（項目３２）
前記正電極、前記負電極、および前記液体電解質を閉じ込める熱伝導性容器をさらに備え、前記循環生成器は、前記容器を封入する熱絶縁筐体をさらに備え、熱管理デバイスは、該筐体の別の部分と比較して、該筐体の第１の壁の厚さおよび／または熱伝導性の低減を含む、項目３０に記載のバッテリ。
（項目３３）
前記熱管理デバイスは、加熱デバイスを備える、項目３０に記載のバッテリ。
（項目３４）
前記容器を覆う、前記負電極と接触している蓋をさらに備え、
前記１つの層は、該負電極であり、
前記熱絶縁筐体は、該蓋を封入し、
前記熱管理デバイスは、該蓋と外側空間との間の該筐体の壁を通して、該蓋の高さで熱伝達経路を提供し、それにより、前記温度勾配を生じさせる、項目３０に記載のバッテリ。
（項目３５）
前記循環生成器は、前記正電極および前記負電極のうちの１つの中の電流と磁場との共同作用によって、前記１つの層の中に循環を生成するように構成される、項目２７に記載のバッテリ。
（項目３６）
前記正電流コレクタおよび前記負電流コレクタのうちの１つは、そのそれぞれの電極の中への突出を含み、それにより、該突出を通って流れる電流が、その周囲に磁場を作成し、そのそれぞれの電極の中への分岐または集中経路を辿り、該磁場と電流とは、その液体材料を循環させる撹拌力をそのそれぞれの電極の中に生じさせるように共同作用する、項目２７に記載のバッテリ。
（項目３７）
外部エネルギー交換デバイスをさらに備え、該外部エネルギー交換デバイスは、前記正電流コレクタおよび前記負電流コレクタに接続されて、それを通って前記電流が流れる回路を作成する、項目３６に記載のバッテリ。
（項目３８）
前記１つの層は、前記負電極であり、前記負電流コレクタは、該負電極の中へ実質的に垂直に突出する突出を含み、該突出と実質的に平行な負端子をさらに備え、該負電流コレクタに電気接続される第１端と、前記外部デバイスへの接続のために適合される第２端とを有することにより、前記バッテリが該外部デバイスとの回路内にあるときに、電流が該負電極を往復して該突出を通り、および該負端子を通って流れ、それにより、その周囲に磁場を生じさせ、該磁場は、その液体材料を循環させる撹拌力をその中に生じさせるように、該負電極の中の電流と共同作用する、項目２７に記載のバッテリ。
（項目３９）
前記容器は、円筒形であり、中心軸を有し、前記突出は、該容器の中の該中心軸と非対称および平行に配置される、項目３８に記載のバッテリ。
（項目４０）
外部デバイスとエネルギーを交換するように構成されるバッテリであって、該バッテリは、
第１の化学ポテンシャルにおけるカルシウムと、混和性元素とを備える、第１の密度を有する導電性溶融合金の正電極と、
第２の化学ポテンシャルにおけるカルシウムと、付加的な金属とを備える、該第１の密度よりも小さい第２の密度を有する導電性液体混合物の負電極であって、該第２の化学ポテンシャルは、該第１の化学ポテンシャルとは異なり、該正電極と負電極との間に電圧を生成する、負電極と、
該負電極および正電極と接触し、それらとともにそれぞれの電極／電解質界面を形成するカルシウム陽イオンを備える、該第１の密度よりも大きく該第２の密度よりも小さい第３の密度を有する液体電解質と
を備え、該負電極および正電極ならびに該電解質は、７５０℃未満の動作温度にある、バッテリ。
（項目４１）
前記電圧は、少なくとも０．５Ｖである、項目４０に記載のバッテリ。
（項目４２）
前記付加的な金属は、マグネシウムである、項目４０に記載のバッテリ。
（項目４３）
前記負電極は、約４０原子パーセント未満のカルシウムである、項目４０に記載のバッテリ。
（項目４４）
前記負電極は、約６０原子パーセント以上のカルシウムである、項目４０に記載のバッテリ。
（項目４５）
前記混和性元素は、ビスマスである、項目４０に記載のバッテリ。
（項目４６）
前記混和性元素は、アルミニウムである、項目４０に記載のバッテリ。
（項目４７）
前記電解質は、塩化カルシウムを備える、項目４０に記載のバッテリ。
（項目４８）
前記電解質は、少なくとも１つのハロゲン化カリウムをさらに備える、項目４７に記載のバッテリ。
（項目４９）
前記負電極と正電極との間に配置される前記電解質によって湿潤可能であるが、該負電極または正電極によって湿潤可能ではない材料のセパレータをさらに備える、項目４０に記載のバッテリ。
（項目５０）
前記負電流コレクタは、表面張力によって前記負電極を含有する部分を備える、項目４０に記載のバッテリ。
（項目５１）
前記正電極、負電極、および電解質は、それぞれの液体材料のそれぞれの液体層として存在し、前記層のうちの１つの中に循環を生成し、それにより、前記電極／電解質界面のうちの１つを往復して該１つの層の液体材料の流動を誘発する、前記バッテリの中の循環生成器をさらに備える、項目４０に記載のバッテリ。
（項目５２）
前記循環生成器は、前記１つの層の中に温度勾配を生じるように構成され、それにより、該１つの層の前記液体材料の重力駆動対流を誘発する、項目５１に記載のバッテリ。
（項目５３）
前記循環生成器は、磁場と、前記正電極および前記負電極のうちの１つの中の電流との共同作用によって、前記１つの層の中に循環を生成するように構成される、項目５１に記載のバッテリ。
（項目５４）
外部回路から伝達される電気エネルギーを貯蔵する方法であって、該方法は、
電気化学バッテリを提供することであって、該電気化学バッテリは、
第１の化学ポテンシャルにおけるアルカリ土類金属を備える導電性液体合金の正電極と、
第２の化学ポテンシャルにおける該アルカリ土類金属を備える導電性液体の負電極と、
該外部回路と接続するように構成される、該負電極および正電極と接触している、該アルカリ土類金属の陽イオンを備える液体電解質と、
該外部回路に接続するように構成される、該正電極と接触している正電流コレクタと、
該外部回路に接続するように構成される、該負電極と接触している負電流コレクタと
を備える、ことと、
該外部回路を該負電流コレクタおよび正電流コレクタに電気的に接続することと、
該正電極から陽イオンとしての該電解質を介して該負電極へのアルカリ土類金属の伝達を駆動するように該外部回路を操作し、それにより、該外部回路から該電気化学バッテリへエネルギーを送達することと
を含む、方法。
（項目５５）
外部負荷を前記負電流コレクタおよび正電流コレクタに電気的に接続し、それにより、前記電解質を介してイオン的に前記負電極から前記正電極へのアルカリ土類金属の同時伝達を可能にし、それにより、前記電気化学電池から該外部負荷までエネルギーを送達することをさらに含む、項目５４に記載の方法。
（項目５６）
前記外部回路は、発電所である、項目５４に記載の方法。
（項目５７）
前記外部回路および前記外部負荷のうちの少なくとも１つは、送電線である、項目５５に記載の方法。
（項目５８）
前記外部回路は、再生可能エネルギー源から変換されたエネルギーを送達する、項目５４に記載の方法。
（項目５９）
前記電池は、無停電電力供給の一部である、項目５４に記載の方法。
（項目６０）
前記電解質ならびに前記正電極および負電極は、７５０℃未満の動作温度である、項目５４に記載の方法。
（項目６１）
前記液体電解質は、表面上の前記正電極に接触するように構成され、該正電極からアルカリ土類金属を伝達することは、該表面上に１Ａ／ｃｍ２よりも大きい電流を構成する、項目５４に記載の方法。
（項目６２）
前記正電極、負電極、および電解質は、それぞれの液体材料のそれぞれの液体層として存在し、電極／電解質界面のうちの１つを往復する１つの層の材料の流束を増加させるように、該層のうちの少なくとも１つの中に循環を生成するために、前記バッテリにおいて通常の動作エネルギーを使用することをさらに含む、項目５４に記載の方法。
（項目６３）
外部デバイスとエネルギーを交換する方法であって、該方法は、
外部エネルギー交換デバイスを提供することと、
バッテリを提供することであって、該バッテリは、正電極、負電極、および介在電解質を含有する容器であって、該正電極および負電極ならびに電解質が、隣接する層がそれぞれの電極／電解質界面を形成するように、垂直スタックの中の液体材料層として存在する、容器と、該正電極と電気接触している正電流コレクタと、該負電極と電気接触している負電流コレクタと、電気接続とを含み、該電気接続は、該外部エネルギー交換デバイスを該正電流コレクタおよび負電流コレクタに接続し、それにより、自身を通って電流が流れる回路を作成する、ことと、
該電極／電解質界面のうちの１つを往復する１つの層の材料の流束を増加させるように、該層のうちの少なくとも１つの中に循環を生成するために、該バッテリにおいて通常の動作エネルギーを使用することと
を含む、方法。
（項目６４）
前記循環は、
前記容器を熱的に絶縁することと、
前記少なくとも１つの層の中に温度勾配を生じさせるように、該容器から熱を放散することであって、該温度勾配は、その前記液体材料の重力駆動対流を引き起こす、ことと
によって生成される、項目６３に記載の方法。
（項目６５）
前記循環は、
前記電流コレクタのうちの少なくとも１つを形成することであって、該１つの電流コレクタと接触している前記電極の中へ延在する突出を伴っている、ことと、
前記バッテリの充電および放電中に前記回路の中の電流の経路を方向付けることであって、それにより、該少なくとも１つの電流コレクタに近接する磁場を生じさせ、該磁場は、該少なくとも１つの電流コレクタと接触している該電極を往復する電流と共同作用して、その中に撹拌力を誘発する、ことと
によって生成される、項目６３に記載の方法。
（項目６６）
外部デバイスとエネルギーを交換する電気化学バッテリであって、該バッテリは、
壁を有し、正電極、負電極、および介在電解質を含有する無蓋容器であって、該電極および該電解質は、該バッテリの動作温度において該容器の壁の中の垂直スタックの中に液体材料層として存在し、該正電極および該負電極のうちの１つは、該電解質上に配置される、無蓋容器と、
該容器の最上部を閉じる蓋と、
該正電極と電気接触している正電流コレクタと、
該負電極と電気接触している負電流コレクタと
を備え、該正電流コレクタおよび該負電流コレクタは、それを通って電流が流れる回路を作成するように、該外部デバイスへの接続のために適合され、
該１つの電極と電気接触している該電流コレクタは、該蓋から吊るされ、該壁から離して該１つの電極を保持し、該１つの電極の液体材料によって湿潤されない第１の物質である第１の部材と、該１つの電極の液体材料によって湿潤される第２の物質である、該第１の部材内の第２の導電性部材とを含む複合導電性構造を備える、バッテリ。
（項目６７）
前記第１の部材は、逆カップ状構造であり、前記第２の部材は、中心シャフト、リング、およびプレートから成る群より選択される、項目６６に記載のバッテリ。
（項目６８）
前記１つの電極は、アルカリ土類金属を備え、前記第１の物質は、炭素または軟鋼合金であり、前記第２の物質は、鋼鉄またはステンレス鋼である、項目６６に記載のバッテリ。
（項目６９）
電気化学バッテリであって、
正電極と、
負電極と、
該正電極と該負電極との間に配置される電解質と、
隣接する層がそれぞれの電極／電解質界面を形成するように、該正電極、該負電極、および該電解質が、該バッテリの動作温度において垂直スタックの中にそれぞれの液体材料層として存在する容器と、
前記層のうちの少なくとも１つの中に循環を生成し、それにより、該電極／電解質界面のうちの１つを往復して該１つの層の液体材料の流動を誘発するように構成される循環生成器と
を備える、バッテリ。
（項目７０）
前記１つの層の中の前記液体材料の流動は、前記層のうちの別の層の中に循環を誘発する、項目６９に記載のバッテリ。
（項目７１）
前記負電極と電気接触し、外部デバイスへの接続のために構成される負電流コレクタと、
前記正電極と電気接触し、該外部デバイスへの接続のために構成される正電流コレクタと
をさらに備える、項目６９に記載のバッテリ。
（項目７２）
前記循環生成器は、前記１つの層の中に温度勾配を生じるように構成され、それにより、該１つの層の前記液体材料の重力駆動対流を誘発する、項目６９に記載のバッテリ。
（項目７３）
前記容器は、熱伝導性であり、
前記循環生成器は、該容器を封入する熱絶縁筐体と、前記１つの層の高さにある該筐体の第１の壁の中の熱管理デバイスとを備え、該熱管理デバイスは、該容器と外側空間との間の第１の壁を通る熱伝達経路を提供して、その液体材料の重力駆動対流を引き起こす温度勾配が該１つの層の中に発生させられる、項目６９に記載のバッテリ。
（項目７４）
前記熱管理デバイスは、１つ以上の熱伝導性部材を備え、該熱伝導性部材は、前記第１の壁を通って延在し、前記容器と密接に熱接触している、項目７３に記載のバッテリ。
（項目７５）
前記容器および筐体は、円筒形であり、前記１つ以上の熱伝導性部材は、金属リングを含む、項目７４に記載のバッテリ。
（項目７６）
前記容器および前記筐体は、長方形であり、前記１つ以上の熱伝導性部材は、前記第１の壁の長さに沿って離間している金属棒を含む、項目７４に記載のバッテリ。
（項目７７）
前記１つ以上の熱管理デバイスは、１つ以上の付加的な熱伝導性部材を含み、該付加的な熱伝導性部材は、前記第１の壁と反対側の前記筐体の第２の壁を通って延在し、前記容器と密接に熱接触している、項目７４に記載のバッテリ。
（項目７８）
前記熱管理デバイスは、前記筐体の別の部分と比較して、前記第１の壁の厚さおよび／熱伝導性が低減していることを含む、項目７３に記載のバッテリ。
（項目７９）
前記１つの層は、前記電解質である、項目７３に記載のバッテリ。
（項目８０）
前記１つの層は、前記正電極および前記負電極のうちの１つであり、前記電解質の下に配置される、項目７３に記載のバッテリ。
（項目８１）
前記容器は、熱伝導性であり、
前記循環生成器は、該容器を封入する熱絶縁筐体と、前記１つの層の高さにある前記バッテリ中の熱管理デバイスとを備え、該熱管理デバイスは、その液体材料の重力駆動対流を引き起こす温度勾配を該１つの層の中に発生させる、項目６９に記載のバッテリ。
（項目８２）
前記熱管理デバイスは、加熱デバイスを含む、項目８１に記載のバッテリ。
（項目８３）
前記容器を覆い、該容器から電気的に絶縁される導電性蓋をさらに備え、
前記１つの層は、前記正電極および前記負電極のうちの１つであり、前記電解質の上に配置され、
前記循環生成器は、該容器および該蓋を封入する熱絶縁筐体と、該蓋における該筐体の該壁の中の熱管理デバイスとを備え、該蓋と外側空間との間の壁を通る熱伝達経路を提供して、その液体材料の重力駆動対流を引き起こす温度勾配が前記１つの層の中に発生させられる、項目６９に記載のバッテリ。
（項目８４）
前記熱管理デバイスは、前記壁を通って延在し、前記蓋と密接に熱接触している１つ以上の熱伝導性部材を備える、項目８３に記載のバッテリ。
（項目８５）
前記循環生成器は、前記正電極および前記負電極のうちの１つの中の電流と磁場との共同作用によって、前記１つの層の中に循環を生成するように構成される、項目６９に記載のバッテリ。
（項目８６）
前記１つの層は、前記正電極および前記負電極のうちの１つであり、前記電解質の下に配置され、
該１つの層と接触している前記電流コレクタは、該１つの層の中へ突出する突出を含み、それにより、突出を通って流れる電流が、その周囲に磁場を作成し、該１つの層の中の分岐または集中経路を辿り、該磁場と電流とは、その液体材料を循環させる撹拌力を該１つの層の中に生じさせるように共同作用する、項目７１に記載のバッテリ。
（項目８７）
外部エネルギー交換デバイスと、
前記正電流コレクタおよび負電流コレクタを前記外部エネルギー交換デバイスに接続する電気接続であって、該外部エネルギー交換デバイスは、自身を通って前記電流が流れる回路を作成するように構成される、電気接続と
をさらに備える、項目８６に記載のバッテリ。
（項目８８）
前記１つの層は、前記正電極および前記負電極のうちの１つであり、前記電解質の上に配置され、
該層と接触している前記電流コレクタは、前記１つの層の中へ突出する突出を含み、それにより、該突出を通って流れる電流が、その周囲に磁場を作成し、該１つの層の中の分岐または集中経路を辿り、該磁場と電流とは、その液体材料を循環させる撹拌力を該１つの層の中に生じさせるように共同作用する、項目７１に記載のバッテリ。
（項目８９）
外部エネルギー交換デバイスと、
それを通って前記電流が流れる回路を作成するように構成される、前記正電流コレクタおよび負電流コレクタを前記外部エネルギー交換デバイスに接続する電気接続と
をさらに備える、項目８８に記載のバッテリ。
（項目９０）
前記１つの層は、前記正電極および前記負電極のうちの１つであり、前記電解質の上に配置され、
該１つの層と接触している前記電流コレクタは、該１つの層の中へ実質的に垂直に突出する突出を含み、それにより、前記バッテリが前記外部デバイスとの回路内にあるときに、電流が該１つの層を往復して該突出を通って流れ、該突出と実質的に平行な端子をさらに備え、該１つの層と接触している該電流コレクタに電気的に接続される第１端と、該外部デバイスへの接続のために適合される第２端とを有するため、該バッテリが該外部デバイスとの回路内にあるときに、該電流が該端子を通って流れ、それにより、その周囲に磁場を生じさせ、該１つの層を往復する経路を辿り、該磁場は、その液体材料を循環させる撹拌力を該１つの層の中に生じさせるように、該１つの層の中の該電流と共同作用する、項目７１に記載のバッテリ。
（項目９１）
外部エネルギー交換デバイスと、
自身を通って電流が流れる回路を作成するために、該外部エネルギー交換デバイスと、それぞれ前記１つの層および前記端子と接触していない前記電流コレクタとの間の電気接続と
をさらに備える、項目９０に記載のバッテリ。
（項目９２）
前記容器は、円筒形であり、中心軸を有し、前記突出は、該容器の中の該中心軸と非対称および平行に配置される、項目９０に記載のバッテリ。
（項目９３）
電流コレクタをさらに備え、該電流コレクタは、前記電解質層の上に前記１つの電極を保持し、該１つの電極の液体材料によって湿潤されない第１の物質である第１の部材と、該１つの電極の該液体材料によって湿潤される第２の物質である、該第１の部材内の第２の導電性部材とを含む複合導電性構造を含む、前記正電極および前記負電極のうちの１つと接触している電流コレクタをさらに備える、項目６９に記載のバッテリ。
（項目９４）
前記第１の物質は、逆カップ状構造を含み、前記第２の部材は、中心シャフト、リング、およびプレートから成る群より選択される、項目９３に記載のバッテリ。
（項目９５）
前記１つの電極は、アルカリ土類金属であり、前記第１の物質は、炭素または軟鋼合金であり、前記第２の物質は、鋼鉄またはステンレス鋼である、項目９３に記載のバッテリ。
（項目９６）
前記液体材料の流動は、０．１ｍｍ／ｓよりも大きい流速を有する、項目６９に記載のバッテリ。
（項目９７）
前記バッテリは、電流が、前記外部デバイスおよび前記電流コレクタを含む回路を通って流れるときに、電極／電解質界面への活性種の流束が、対流拡散のみによって引き起こされる該電極／電解質界面への活性種の流束よりも大きくなるように構成される、項目７１に記載のバッテリ。